(57)【要約】【課題】簡易机としての機能を損なわず、書画や写真等の表示物をその机の上面に取り替え自在として備えたものとし、使用者にとって、面白みがあり、興味を引く多機能簡易机を提供する。【解決手段】天板１の表面に、表示物２を取り替え自在として保持するようにした保持体３を設けたものとし、天板１の裏面に、移動可能な充填物４を充填することによって変形可能とした袋体５を設けたものとしている。【選択図】図１
2009022377.tif 000002
【特許請求の範囲】
【請求項１】
天板（１）の表面に、表示物（２）を取り替え自在として保持するようにした保持体（３）を設けたものとし、天板（１）の裏面に、移動可能な充填物（４）を充填することによって変形可能とした袋体（５）を設けたものとしたことを特徴とする多機能簡易机。
【請求項２】
前記保持体（３）を、天板（１）の表面周囲を保持枠（６）で取り囲むと共に、この保持枠（６）の側部に挿入口（７）を設けたものとし、この挿入口（７）から保持枠（６）内に前記表示物（２）を挿入できるようにしたことを特徴とする請求項１記載の多機能簡易机。
【請求項３】
前記保持体（３）を、天板（１）の表面周囲に着脱自在とした保持枠（６）からなるものとし、この保持枠（６）と天板（１）との間に前記表示物（２）を挟み込むようにしたことを特徴とする請求項１記載の多機能簡易机。
【請求項４】
前記保持枠（６）の上面を、透明板（９）で覆ったものとしたことを特徴とする請求項２または３記載の多機能簡易机。
【請求項５】
前記保持体（３）を、天板（１）の表面全体に着脱自在とした透明保持板（１４）からなるものとし、この透明保持板（１４）と天板（１）との間に前記表示物（２）を挟み込むようにしたことを特徴とする請求項１記載の多機能簡易机。
【請求項６】
前記保持体（３）を、天板（１）の表面全体に開閉自在とした透明保持板（１４）からなるものとし、この透明保持板（１４）と天板（１）との間に前記表示物（２）を挟み込むようにしたことを特徴とする請求項１記載の多機能簡易机。
【発明の詳細な説明】
【技術分野】
【０００１】
この発明は、膝の上などに載せて机、トレイ等として使用することができると共に、室内装飾物等としても使用することのできる多機能簡易机に関するものである。
【背景技術】
【０００２】
従来、簡易机としては、例えば図２２に示したように、天板２１の表面上に、この面上への載置物の滑落を阻止するストッパー２２を設けると共に、天板２１の裏面にクッション２３を取り付けてなるものが存在する。そして、この簡易机は、前記天板２１を矩形状とし、前記ストッパー２２をこの天板２１の一辺に沿って直線状に設けられたものとしている（特許文献１）。
【０００３】
このようにした従来の簡易机では、使用者が、あぐらをかいたり、足をのばした状態で、これを膝の上に置いて手軽に使用することができ、また机が傾斜しても、机上に置いた物の滑落を、ストッパー２２によって阻止することができるとしている。さらに、この従来の簡易机は、クッション２３を上にして用いれば、使用者の枕としても利用することができるとしている。
【特許文献１】実開平１−９０４２９号公報（第１、５〜６頁、第１図）
【発明の開示】
【発明が解決しようとする課題】
【０００４】
しかしながら、上記従来の簡易机では、机上に置いた物の滑落を、ストッパー２２によって阻止することができるとしても、天板２１には何の装飾も施されていない。
【０００５】
そのため、上記従来の簡易机の使用者にとっては、殺風景で興味を引かないので、書画や写真等の表示物をその机の上面に取り替え自在として備えたものとすることができないかとの要望があった。
【０００６】
そこで、この発明は、上記要望を適えるものであり、簡易机としての機能を損なわず、書画や写真等の表示物をその机の上面に取り替え自在として備えたものとし、使用者にとって、面白みがあり、興味を引く多機能簡易机を提供することを目的としてなされたものである。
【課題を解決するための手段】
【０００７】
この発明の多機能簡易机は、天板１の表面に、表示物２を取り替え自在として保持するようにした保持体３を設けたものとし、天板１の裏面に、移動可能な充填物４を充填することによって変形可能とした袋体５を設けたものとしている。
【０００８】
そして、この発明の多機能簡易机は、前記保持体３を、天板１の表面周囲を保持枠６で取り囲むと共に、この保持枠６の側部に挿入口７を設けたものとし、この挿入口７から保持枠６内に前記表示物２を挿入できるようにしている。
【０００９】
さらに、この発明の多機能簡易机は、前記保持体３を、天板１の表面周囲に着脱自在とした保持枠６からなるものとし、この保持枠６と天板１との間に前記表示物２を挟み込むようにすることができる。
【００１０】
また、この発明の多機能簡易机は、前記保持枠６の上面を、透明板９で覆ったものとすることができる。
【００１１】
さらに、この発明の多機能簡易机は、前記保持体３を、天板１の表面全体に着脱自在とした透明保持板１４からなるものとし、この透明保持板１４と天板１との間に前記表示物２を挟み込むようにすることができる。
【００１２】
また、この発明の多機能簡易机は、前記保持体３を、天板１の表面全体に開閉自在とした透明保持板１４からなるものとし、この透明保持板１４と天板１との間に前記表示物２を挟み込むようにすることができる。
【発明の効果】
【００１３】
この発明の多機能簡易机は、以上に述べたように構成されており、簡易机としての機能を損なわず、書画や写真等の表示物をその机の上面に取り替え自在として備えたものとなり、簡易机としての使用の他にも、これら表示物の展示機能を備えた室内装飾物としても使用することができ、使用者にとって面白みがあり、興味を引くものとなった。
【発明を実施するための最良の形態】
【００１４】
以下、この発明の多機能簡易机の実施の形態を、図面に基づいて詳細に説明する。
【００１５】
この発明の多機能簡易机は、天板１の表面には、書画や写真等の表示物２を取り替え自在として保持するようにした保持体３を設けたものとしている。そして、天板１の裏面には、移動可能な充填物４を充填することによって変形可能とした袋体５を設けたものとしている。
【００１６】
前記天板１は、図１〜４に示した実施形態において、例えば縦３０〜４０ｃｍ程度、横４５〜５５ｃｍ程度の矩形状に形成したものとしている。前記保持体３は、この天板１の表面周囲を保持枠６で取り囲むと共に、この保持枠６の一側部に挿入口７を設けたものとし、この挿入口７から保持枠６内に前記表示物２を挿入できるようにしている。なお、前記保持枠６の他の三側部の内側には、挿入溝８を形成したものとしている。前記保持枠６は、上面を開放したものとしてもよいが、下面側に段差部６ａを設けると共に、この段差部６ａにガラス板やアクリル板等の透明板９を嵌め込んで、この透明板９で上面を覆ったものとすることもできる。このようにすると、表示物２の上に後に述べるような押え板１０を載せておかなくても、また表示物２をラミネートフィルムｆで被覆するなどしておかなくても、使用中に飲食物等をこぼしたりした場合も表示物２を汚したり、濡らしたりすることがないものとなる。前記挿入口７は、図示したものでは、保持枠６の左側部に設けたものとしており、この挿入口７から前記表示物２を、挿入板１１に載せた状態にしたり、そのままの状態で保持枠６と天板１との間に挿入できるようにしている。また、前記挿入板１１の片端には、把持部１１ａを設けたものとし、この挿入板１１を挿入口７から挿入する場合に、この把持部１１ａを手で持つことにより、その操作をし易いものとしている。なお、前記把持部１１ａの断面形状を挿入口７の断面形状と略同一形状にすることにより、前記挿入板１１を挿入口７から挿入したときに、この把持部１１ａが挿入口７に丁度嵌まり込むようにすることができる。このようにすると、使用中に前記挿入板１１が挿入口７から抜け出し難くなり、使用し易いものとなる。
【００１７】
前記天板１は、図６〜９に示した実施形態において、例えば縦３０〜４０ｃｍ程度、横４５〜５５ｃｍ程度の矩形状に形成したものとしている。そして、前記保持体３は、この天板１の表面周囲を保持枠６で取り囲むと共に、この保持枠６の一側部に挿入口７を設けたものとし、この挿入口７から保持枠６内に前記表示物２を挿入できるようにしている。前記保持枠６は、上面にガラス板やアクリル板等の透明板９を載せて、この透明板９で上面を覆ったものとしている。このようにすると、表示物２の上に後に述べるような押え板１０を載せておかなくても、また表示物２をラミネートフィルムｆで被覆するなどしておかなくても、使用中に飲食物等をこぼしたりした場合も表示物２を汚したり、濡らしたりすることがないものとなる。前記挿入口７は、図示したものでは、保持枠６の左側部に設けたものとしており、この挿入口７から前記表示物２を、挿入板１１に載せた状態にしたり、そのままの状態で透明板９と天板１との間に挿入できるようにしている。また、前記挿入板１１の片端には、把持部１１ａを設けたものとし、この挿入板１１を挿入口７から挿入する場合に、この把持部１１ａを手で持つことにより、挿入し易いものとしている。なお、前記把持部１１ａの断面形状を挿入口７の断面形状と略同一形状にすることにより、前記挿入板１１を挿入口７から挿入したときに、この把持部１１ａが挿入口７に丁度嵌まり込むようにすることができる。このようにすると、使用中に前記挿入板１１が挿入口７から抜け出し難くなり、使用し易いものとなる。
【００１８】
天板１は、図１０〜１３に示した実施形態において、例えば縦３０〜４０ｃｍ程度、横４５〜５５ｃｍ程度の矩形状に形成したものとしている。そして、前記保持体３は、この天板１の表面周囲に着脱自在とした保持枠６からなるものとし、この保持枠６と天板１との間に前記表示物２を挟み込むようにしている。前記保持枠６は、下面の四隅に面接着ファスナー１２の一方を取り付けたものとし、この面接着ファスナー１２の一方を天板１の表面の四隅に取り付けた面接着ファスナー１２の他方と接着させたり、離脱させることにより、着脱自在としている。さらに、前記保持枠６は、下面の四隅に突起物（図示せず）を設けたものとし、この突起物を天板１の表面の四隅に設けた嵌合穴（図示せず）に嵌め込んだり、外したりすることにより、着脱自在とすることもできる。また、前記保持枠６は、詳細には説明しないが、磁石やネジ、ツメ等を用いて、着脱自在とすることもできる。さらに、前記保持枠６は、上面を開放したものとしてもよいが、下面側に段差部６ａを設けると共に、この段差部６ａにガラス板やアクリル板等の透明板９を嵌め込んで、この透明板９で上面を覆ったものとすることもできる。このようにすると、表示物２の上に後に述べるような押え板１０を載せておかなくても、また表示物２をラミネートフィルムｆで被覆するなどしておかなくても、使用中に飲食物等をこぼしたりした場合にも表示物２を汚したり、濡らしたりすることがないものとなる。なお、前記保持枠６の段差部６ａには、前記透明板９と載せ板１３との間に表示物２を挟み込んで、これらを纏めて嵌め込んでおくこともできる。
【００１９】
天板１は、図１４〜１７に示した実施形態において、例えば縦３０〜４０ｃｍ程度、横４５〜５５ｃｍ程度の矩形状に形成したものとしている。そして、前記保持体３は、この天板１の表面全面に着脱自在とした透明保持板１４からなるものとし、この透明保持板１４と天板１との間に前記表示物２を挟み込むようにしている。前記透明保持板１４は、四隅に通孔１５を設け、この通孔１５から天板１の表面の四隅に取り付けた嵌合穴１６にリベット１７を嵌め込んだり、外したりすることにより、着脱自在としている。また、前記透明保持板１４は、下面の四隅に突起物（図示せず）を設けたものとし、この突起物を天板１の表面の四隅に設けた嵌合穴１６に嵌め込んだり、外したりすることにより、着脱自在とすることもできる。さらに、前記透明保持板１４は、詳細には説明しないが、面接着ファスナーや磁石、ネジ等を用いて、着脱自在とすることもできる。なお、前記天板１は、必要に応じ、周囲を除く表面の中央全体を浅く凹ませた収納部１ａを形成することにより、透明保持板１４との間に表示物２を挟み込み易くすることができる。このようにすると、表示物２の上に後に述べるような押え板１０を載せておかなくても、また表示物２をラミネートフィルムｆで被覆するなどしておかなくても、使用中に飲食物等をこぼしたりした場合にも表示物２を汚したり、濡らしたりすことがないものとなる。
【００２０】
天板１は、図１８〜２１に示した実施形態において、例えば縦３０〜４０ｃｍ程度、横４５〜５５ｃｍ程度の矩形状に形成したものとしている。そして、前記保持体３は、この天板１の表面全面に開閉自在とした透明保持板１４からなるものとし、この透明保持板１４と天板１との間に前記表示物２を挟み込むようにしている。前記透明保持板１４は、その一側部と、天板１の一側部との間にヒンジ１８を介設することにより、開閉自在としている。このようにすると、表示物２の上に後に述べるような押え板１０を載せておかなくても、また表示物２をラミネートフィルムｆで被覆するなどしておかなくても、使用中に飲食物等をこぼしたりした場合にも表示物２を汚したり、濡らしたりすことがないものとなる。さらに、前記透明保持板１４の他側部には、把持部１４ａを設けたものとし、この透明保持板１４を開閉する場合に、把持部１４ａを手で持つことにより、その操作をし易いものとしている。
【００２１】
表示物２は、一般的には紙面や布面に描いたり印刷した書画や写真等としているが、使用者が趣味で作った押し花やキルティング作品等としたり、子供の教育用としたアルファベット表や九九の表など学習に役立つ情報を表示した物等とすることができる。すなわち、この発明でいう表示物２とは、使用者が興味を引くもので、保持体３に保持できる程度の薄手の表示物であればよい。なお、前記表示物２の上には、透明の押え板１０を載せておくことができ、この押え板１０と前記挿入板１１の間に表示物２を鋏み込んだものとすることができる。このようにすると、表示物２が挿入板１１から浮き上がらず、保持体３に保持し易いものとなる。また、使用中に飲食物等をこぼした場合にも表示物２を汚したり、濡らしたりすことがないものとなる。さらに、前記表示物２は、図５に示したように、透明のラミネートフィルムｆで被覆するなどして、防水性を有するものとすることもできる。このようにすると、表示物２の上に押え板１０を載せておかなくても、表示物２が挿入板１１から浮き上がらず、保持体３に保持し易いものとなる。また、使用中に飲食物等をこぼした場合にも表示物２を汚したり、濡らしたりすことがないものとなる。
【００２２】
充填物４は、例えば直径を１〜１０ｍｍ程度にした合成樹脂製のビ−ズ、もみ殻、木片、植物の種などの粒状体からなるものとし、弾性変形するものでもあっても、しないものであってもよい。このようにすると、例えば前記袋体５を使用者の膝の上に載せると、充填物４が袋体５内で移動して、この袋体５が使用者の膝に沿った形状に容易に変形し、使用者の膝の上で袋体５が安定した状態となり、簡易机として使用し易いものとなる。なお、前記充填物４は、弾性変形するものとすると、使用者の膝の上に載せたときに荷重がかかって変形する場合があり、使用者の膝の上で袋体５が揺れるなどして安定した状態とならず、簡易机として使用し難いものとなるので、弾性変形しないものとするのが好ましい。
【００２３】
袋体５は、変形可能としたものとしており、例えば織布、不織布等の布地、薄手の天然皮革、合成皮革等の生地からなるものとし、伸縮するものでもあっても、しないものであってもよい。なお、前記袋体５は、伸縮するものとすると、使用者の膝の上に載せたときに荷重がかかって伸縮する場合があり、使用者の膝の上で袋体５が揺れるなどして安定した状態とならず、簡易机として使用し難いものとなるので、伸縮しないものとするのが好ましい。
【００２４】
この発明の多機能簡易机は、以上に述べたように構成されているので、これを使用するには、次のようにして行う。
【００２５】
先ず、図１〜４に示した実施形態では、挿入板１１の上に表示物２を載せ、この表示物２の上に押え板１０を載せる。そして、図１、３に示したように、前記挿入板１１を保持枠６の挿入口７から、保持枠６の挿入溝８に挿入し、保持枠６内に保持させる。すると、図２、４に示したように、保持枠６に嵌め込んだ透明板９を通して表示物２が見える状態となる。
【００２６】
次に、図６〜９に示した実施形態では、挿入板１１の上に表示物２を載せ、この表示物２の上に押え板１０を載せる。そして、図６、８に示したように、前記挿入板１１を保持枠６の挿入口７から、透明板９と天板１との間に挿入し、保持枠６内に保持させる。すると、図７、９に示したように、保持枠６の上面を覆う透明板９を通して表示物２が見える状態となる。
【００２７】
さらに、図１０〜１３に示した実施形態では、透明板９と載せ板１３との間に表示物２を挟み込んで、これらを纏めて保持枠６の段差部６ａに嵌め込む。そして、この保持枠６の下面の四隅に取り付けた面接着ファスナー１２の一方を、天板１の表面の四隅に取り付けた面接着ファスナー１２の他方と接着するようにして、保持枠６を天板１の上に置く。すると、図１１、１３に示したように、保持枠６の上面を覆う透明板９を通して表示物２が見える状態となる。
【００２８】
また、図１４〜１７に示した実施形態では、天板１の上に表示物２を置き、この表示物２の上から透明保持板１４を載せる。そして、透明保持板１４の四隅に設けた通孔１７から天板１の表面の四隅に設けた嵌合穴１６にリベット１７を嵌め込む。すると、図１５、１７に示したように、表示物２が天板１と透明保持板１４の間に挟み込まれ、この透明保持板１４を通して表示物２が見える状態となる。
【００２９】
さらにまた、図１８〜２１に示した実施形態では、透明保持板１４のヒンジ１８で連結された反対の一側部に設けた把持部１４ａを手で掴んでこの透明保持板１４を持ち上げ、天板１の上に表示物２を置き、持ち上げた透明保持板１４を下げていくことにより、この表示物２を天板１と透明保持板１４の間に挟み込む。すると、図１９、２１に示したように、透明保持板１４を通して表示物２が見える状態となる。
【００３０】
そこで、使用者は、椅子に座ったり、畳みやフロアに直に座る。この状態で、袋体５側を下にして多機能簡易机を手で軽く振り、膝の近辺にそっと載せる。すると、袋体５内で充填物４が移動し、この袋体５の膝の近辺との接触部の形状が、その膝の近辺に沿った形状に変形するので、安定した状態として多機能簡易机を膝の近辺に載せておける。
【００３１】
この状態で使用者は、透明板９や透明保持板１４の上に書物や筆記具を載せて、読書きをしたり、これらの上に飲食物を載せたりして、その飲食物を飲食する。この場合、保持枠６を有したものでは、書物や筆記具、飲食物のストッパーとなり、これらが滑って、透明板９の上から落下するのを防止することができる。また、保持枠６を有さないものでは、天板１の全面が平坦となり、天板１を広く使用することができる。
【００３２】
さらに、前記したように多機能簡易机を読書きや飲食等に使用しない場合にも、透明板９側、透明保持板１４側を表に向けておけば、この透明板９や透明保持板１４を通して表示物２が見えるので、その表示物２を鑑賞することができる。そして、その表示物２に飽きたり、気分を変えたい場合等は、保持枠６から挿入板８を抜き出したり、保持枠６や透明保持板１４を天板１から外したり、透明保持板１４を開いて、表示物２を取り出し、その表示物２を他の物に取り替えて、挿入板８に載せたり、透明板９、透明保持板１４を被せることにより、再び保持体３に保持させれば、その取り替えた表示物２を飽きることなく堪能できる。そして、前記表示物２を書画や写真とした場合には、誰でも室内装飾として鑑賞することができる。表示物２を押し花やキルティング作品とした場合には、女性等がリビング等に飾って楽しむことができる。また、アルファベット表や九九の表とした場合には、小学生等が子供部屋に飾って勉学に励むことができる。さらに、表示物２を色々なものにすることにより、年配者や体の不自由な人などにも、自宅、病院等に飾って気持ちを癒すことができる。
【００３３】
したがって、この発明の多機能簡易机は、簡易机、トレイとしての機能を損なわず、書画や写真等の表示物をその机の上面に取り替え自在として備えたものとなり、簡易机としての使用の他にも、これら表示物の展示機能を備えた室内装飾物としても使用することができるものとなり、使用者にとって面白みがあり、興味を引くものとなる。
【図面の簡単な説明】
【００３４】
【図１】この発明の多機能簡易机の第一実施形態を示す斜視図であり、保持体に表示物を保持させつつある状態を示している。
【図２】図１に示すこの発明の多機能簡易机の保持体に表示物を保持させ終わった状態を示す斜視図である。
【図３】図１に示す状態のこの発明の多機能簡易机の断面図である。
【図４】図２に示す状態のこの発明の多機能簡易机の断面図である。
【図５】この発明の多機能簡易机に用いる表示物の斜視図である。
【図６】この発明の多機能簡易机の第二実施形態を示す斜視図であり、保持体に表示物を保持させつつある状態を示している。
【図７】図６に示すこの発明の多機能簡易机の保持体に表示物を保持させ終わった状態を示す斜視図である。
【図８】図６に示す状態のこの発明の多機能簡易机の断面図である。
【図９】図７に示す状態のこの発明の多機能簡易机の断面図である。
【図１０】この発明の多機能簡易机の第三実施形態を示す斜視図であり、保持体に表示物を保持させつつある状態を示している。
【図１１】図１０に示すこの発明の多機能簡易机の保持体に表示物を保持させ終わった状態を示す斜視図である。
【図１２】図１０に示す状態のこの発明の多機能簡易机の断面図である。
【図１３】図１１に示す状態のこの発明の多機能簡易机の断面図である。
【図１４】この発明の多機能簡易机の第四実施形態を示す斜視図であり、保持体に表示物を保持させつつある状態を示している。
【図１５】図１４に示すこの発明の多機能簡易机の保持体に表示物を保持させ終わった状態を示す斜視図である。
【図１６】図１４に示す状態のこの発明の多機能簡易机の断面図である。
【図１７】図１５に示す状態のこの発明の多機能簡易机の断面図である。
【図１８】この発明の多機能簡易机の第五実施形態を示す斜視図であり、保持体に表示物を保持させつつある状態を示している。
【図１９】図１８に示すこの発明の多機能簡易机の保持体に表示物を保持させ終わった状態を示す斜視図である。
【図２０】図１８に示す状態のこの発明の多機能簡易机の断面図である。
【図２１】図１９に示す状態のこの発明の多機能簡易机の断面図である。
【図２２】従来の多機能簡易机の一例を示す斜視図である。
【符号の説明】
【００３５】
１  天板
２  表示物
３  保持体
４  充填物
５  袋体
６  保持枠
７  挿入口
９  透明板
１４  透明保持板
【図１】
2009022377.tif 000003
【図２】
2009022377.tif 000004
【図３】
2009022377.tif 000005
【図４】
2009022377.tif 000006
【図５】
2009022377.tif 000007
【図６】
2009022377.tif 000008
【図７】
2009022377.tif 000009
【図８】
2009022377.tif 000010
【図９】
2009022377.tif 000011
【図１０】
2009022377.tif 000012
【図１１】
2009022377.tif 000013
【図１２】
2009022377.tif 000014
【図１３】
2009022377.tif 000015
【図１４】
2009022377.tif 000016
【図１５】
2009022377.tif 000017
【図１６】
2009022377.tif 000018
【図１７】
2009022377.tif 000019
【図１８】
2009022377.tif 000020
【図１９】
2009022377.tif 000021
【図２０】
2009022377.tif 000022
【図２１】
2009022377.tif 000023
【図２２】
2009022377.tif 000024